(57)【要約】【課題】既に記録済みの電子記録媒体の内容を印刷するには、電子記録媒体の中の記録情報を人的に直接参照し、必要な情報の整理や画像配置を個別に編集作業しなければならず、専門的な知識とデザインセンスを必要とした。また、記録媒体への記録機能を有するソフトウェアなどで同時に印刷までの一連の印刷をしなければ、保持する情報が無いため、文字情報や画像情報などを印刷者側が人的に二次加工したり、製作する手間が必要だった。更に、記録してしまった後では、媒体記録に関する出生記録的な情報を後から取得できないため、正確な情報管理をおこなうことも困難だった。【解決手段】本発明は記録部を有さずとも、既に記録されている電子記録媒体内の情報を元に情報抽出や適宜な変換処理などをおこない、印刷に必要な情報の整理や配置などを自動処理して媒体表面に印刷すべき情報を前準備せずとも、印刷される媒体表面（盤面）の目視で内容を十分に掌握することを可能とした印刷方式である。【選択図】図１
2006107482.tif 000002
【特許請求の範囲】
【請求項１】
ＤＩＳＣなどの電子記録媒体に記録されているディレクトリ名（ファイル名）やファイル名、及びその容量数値などを電子記録媒体を読み出すハードウェアを介してソフトウェアで読み取り、媒体上に印刷をおこなうことで、記録媒体上を目視するだけでファイル情報の確認をできる情報印刷方式。
【請求項２】
ＤＩＳＣなどの電子記録媒体に記録されている静止画像を読み取り、画像情報を縮小して媒体上に複数並べて印刷をおこなうことで、媒体内にどのような静止画像が記録されているかを媒体上を目視するだけで確認できる情報印刷方式。
【請求項３】
ＤＩＳＣなどの電子記録媒体に記録されている音楽に関する文字情報を読み取り、媒体上に複数並べて印刷をおこない、媒体上を目視するだけで媒体内にどのような音楽情報が記録されているかを確認できる情報印刷方式。
【請求項４】
ＤＩＳＣなどの電子記録媒体に記録されている動画像情報を読み取り、画像情報を縮小して媒体上に複数並べて印刷をおこない、媒体上を目視するだけで媒体内にどのような動画像情報が記録されているかを確認できる情報印刷方式。
【請求項５】
ＤＩＳＣなどの電子記録媒体に記録されているデータファイルのディレクトリ（フォルダ）構造をソフトウェアで読み取り、媒体上にツリー構造（階層構造）を絵として印刷することにより、記録媒体上を目視するだけで、データの記録されている階層構造を把握できる情報印刷方式。
【請求項６】
ＤＩＳＣなどの電子記録媒体に記録されているデータファイルのディレクトリ（フォルダ）構造をソフトウェアで読み取り、媒体上にディレクトリ（フォルダ）ごとの記録容量をツリー構造（階層構造）の絵と共に印刷することにより、記録媒体上を目視するだけで、データの記録されている階層構造と、占有データサイズを把握できる情報印刷方式。
【請求項７】
データＤＩＳＣはＩＳＯ９６６０規格により、その媒体に記録した日時情報や、記録の際に利用した書き込みソフトウェアの名称などが記録されている。  それらをソフトウェアで読み出し、媒体面に印刷することで、媒体作成時における出生情報を把握できる情報印刷方式。
【発明の詳細な説明】
【技術分野】
【０００１】本発明は、既に記録されているＤＩＳＣなどの電子記録媒体を元に、その情報をソフトウェアで読み出し、データファイル・静止画像・音声画像・動画像など様々な形式のデジタルデータを、媒体面に目視可能な印刷をおこなうことで、媒体を参照するだけで記録内容を容易に掌握することのできる方式に関するものである。
【背景技術】
【０００２】従来、ＣＤに画像や文字を印刷するだけの技術などについては、特許文献１や特許文献２のようなものがある。また対象媒体をフロッピーディスクやＭＤ（ミニディスク）に広げた場合には、特許文献３や特許文献４のようなものがある。
【特許文献１】公開番号：  特開平０５−１８２４１１
しかし、従来のＤＩＳＣへ情報を適宜印刷する方式は自らが記録部を有し内包する記録情報を継続処理しておこなう必要があるが、本発明は記録部を有さずとも記録済み媒体から印刷情報を直接抽出する独立方式で汎用的な情報の印刷処理をおこなうことができるものである。【特許文献２】公開番号：  特開２０００−１３２９４６
汎用性の無い特殊なＣＤ−Ｒドライブを使用しなければならない。本発明はＣＤやＤＶＤなどの電子記録媒体を読み出せる装置であれば、ソフトウェアだけで必要な情報を読み出すことができ、媒体上への印刷も一般的なプリンター（印刷装置）を利用することが可能である。【特許文献３】公開番号：  特開平１１−１６７４７７
ファイル名情報しか印刷させることができない。本発明はフォルダを含めた階層構造体を文字情報だけでなくアイコン（種別判読用絵記号）を含め印刷させることが可能である。また、写真データのような静止画像やテレビや映画などの動画像、及び音楽ＣＤのような音声データに対しても適用可能である。更に、誰もが安易に読み取り可能なファイルの論理情報だけでなく、電子記録媒体上に存在する物理セクタを読み取るため、媒体固有情報を印刷することも可能である。【特許文献４】公開番号：  特開２００２−３３４５６０
対象媒体がＭＤ（ミニディスク）でなければならない。また楽曲情報は対象媒体ではなく制御用コンピュータ内の楽曲データベースが必要とされている。本発明は音楽ＣＤ（ＣＤ−ＤＡ）の物理セクタ情報を読み取ることにより、楽曲データベースを必要とせずに対象となる電子媒体だけで必要な印刷情報を取得し、印刷することが可能である。
【発明の開示】
【発明が解決しようとする課題】
【０００３】ＣＤやＤＶＤなどの電子記録媒体にデータ類を記録することは容易だが、記録したデータを判りやすく印刷するには、画像編集ソフトやＣＤ用の特殊なレイアウト印刷用ワードプロセッサソフトウェアなどを駆使しなければならなかった。その為、媒体記録はできても、容易に記録内容を掌握できる内容参照可能な盤面印刷をおこなうことはできなかった。【０００４】また、一旦記録してしまった電子記録媒体の盤面に記録情報を掌握できる情報を後日印刷しようとすると、人間が電子記録媒体の内容を参照し、その情報を別な場所や用紙に一旦記録し、編集ソフトやレイアウトソフトを使って盤面印刷しなければならず、多大な時間と労力を必要とした。【０００５】また、一旦記録してしまった電子記録媒体の静止画像や動画像の幾つかを取り出してインデックス化するには、人間が記録済み媒体内の電子ファイルを開いて目視確認のうえ、適切な画像を取り出して縮尺を変更しながら配列しなければならず、多大な時間と労力を必要とした。【０００６】また、データファイルがディレクトリ（フォルダ）のような階層構造体で記録されている場合、その構造がどのような状態で記録されている電子記録媒体なのかを媒体面の目視だけでは判読することが困難だった。また、階層構造体を絵として媒体面に配置・印刷することも一般使用者には困難な作業だった。
例えば、フォルダ（ディレクトリ）やファイルが階層構造体で記録されている電子記録媒体の内容を目視確認しやすいように印刷するためには、従来では
（１）電子記録媒体を読み出し装置に装てんする。
（２）ＷｉｎｄｏｗｓなどのＯＳ（Ｏｐｅｒａｔｉｎｇ  Ｓｙｓｔｅｍ）に付属しているエクスプローラ、または別途調達した電子記録媒体内容を表示させるソフトウェアなどを起動する。
（３）電子記録媒体の内容をツリービュー（階層構造表示機能）で表示させる。
（４）表示されている情報をグラフィックスデータとしてコピーする。
（５）画像編集ソフトウェアを別に起動し、コピーした画像情報を貼り付ける。
（６）電子記録媒体の盤面に入りきるように画像サイズの大きさや展開範囲などを加工する。
（７）画像印刷のできるソフトウェアを調達し、起動する。
（８）加工した画像情報を画像印刷のできるソフトウェアに引き渡す。
（９）電子記録媒体をプリンターにセットし、画像データをプリンターに送出する。
と言う操作が必要だった。【０００７】また、一旦記録されてしまった電子記録媒体の記録日時などの出生情報を一般使用者は読み取ることができないので、後日印刷しようとしたときに、その情報を記録することはできなかった。
【課題を解決するための手段】
【０００８】上記の課題を解決するため、本発明は記録済みのＤＩＳＣなどの電子記録媒体を後からソフトウェア自身で読み出し、適宜媒体内容に応じて掌握可能な文字情報・静止画像情報・階層構造などを自動的に生成し、媒体表面に適した自動配列で印刷をおこなう方式を特徴とする。
既に記録されている電子記録媒体上から必要な情報を読み出すことで、使用者側の負担無く必要な情報を自動印刷できることも特徴である。【０００９】また、媒体上に存在するディレクトリ（フォルダ）名やファイル名を、一覧の文字情報として自動印刷することで、静止画像や動画像のように絵で参照できない種類のデータファイルなどに対しても、記録内容を把握できる特徴がある。
グラフィカルユーザインタフェースがＯＳ（Ｏｐｅｒａｔｉｎｇ  Ｓｙｓｔｅｍ）の主流になっている現在ではファイルに関連付けられたアイコン画像が定義されているので、ファイル一覧と共にアイコン画像情報を添えて印刷することで、より情報を把握し易い印刷が可能となる。【００１０】また、従来では複数の写真などの静止画は、予め編集するために使用者が個別に用意し、印刷用の配置をしなければならなかったが、本発明は既に記録されているＤＩＳＣなどの電子記録媒体内から直接静止画像を読み出して自動的に印刷できる特徴を持つ。【００１１】また、多数の静止画像が電子記録媒体に記録されている場合には、限られた記録域に全ての縮小静止画像を印刷することは困難である。この発明では、記録されている静止画全数から印刷可能枚数分を全体から間引き、特定数量に選別抽出してから縮小印刷することで、電子記録媒体上に記録されている多数の新旧静止画全体を掌握することのできる特徴も持つ。【００１２】また、電子記録媒体に動画像が記録されている場合には、動画像データの一部のフレームを抜き出して、縮小静止画像に変換し、前述００１１と同じ処理をおこなうことで、動画像の記録にも対応できる特徴を持つ。【００１３】また、音楽ＣＤのように音声データが記録されている電子記録媒体では、各トラックの曲の長さなどをＣＤ−ＤＡ規格に基づき読み出し、各曲の演奏情報を自動的に印刷できる特徴を持つ。【００１４】さらに、ＣＤ  ＴＥＸＴ規格に準拠した音楽ＣＤには歌手名や曲名などが記録される。それらを文字情報として抽出し、各曲の曲情報を自動的に印刷できる特徴も持つ。【００１５】また、電子記録媒体内にディレクトリ（フォルダ）階層でデータファイルが記録されている場合に、その構造体を掌握できるよう、階層ごとにそれぞれのディレクトリ名をツリー構造体の絵で印刷することで、電子記録媒体内の構造体を電子記録媒体面を参照することで目視での掌握をし易くできる特徴がある。
この発明では、限られた媒体盤面領域へ期待した部分のツリー構造を把握しやすいよう、コンピュータディスプレイ上に限られた領域を予め表示し、その中で表示可能な範囲で自由に各ディレクトリ（フォルダ）の階層構造体を展開したり縮めたりする方式も含まれている。【００１６】さらに、ディレクトリ（フォルダ）階層で記録されている電子記録媒体内で、各ディレクトリ（フォルダ）にどの程度のファイルが記録されているかのファイルサイズの小計値を並列に印刷することにより、電子記録媒体内のデータの占有量を掌握することのできる特徴を持つ。【００１７】また、ＩＳＯ９６６０規格に基づいて記録されているデータＤＩＳＣなどは、特殊な物理セクタ（アドレス１６）をソフトウェアで読み出して媒体の盤面に自動印刷することで、そのＤＩＳＣの記録日時や記録の際に使用したライティングソフトウェアの名称などの出生記録を把握できる特徴を持つ。
【発明の効果】
【００１８】前述の課題を解決するための手段を具体化し、ＤＩＳＣなどの記録済み電子記録媒体内の情報をソフトウェアで読み出すだけで、自動的に最適で詳細な情報把握を盤面上から実現できる媒体印刷が可能となるのが本発明である。
従来は、電子記録媒体の内容を元に印刷をおこなえるのではなく、別工程として印刷のための情報整理や準備、レイアウトの配置や編集作業が独立して必要だった。またはそれら情報を時系列的に保有することのできる媒体記録用アプリケーションソフトが一貫した流れとして印刷処理を請け負っていた。しかし、この発明により、媒体への記録後に自由に必要に応じて記録した電子記録媒体の中から印刷に必要な情報を抽出する自動印刷方式により、前述にあげた数々の課題を克服することができる。【００１９】この発明により、使用者の経験値や知識レベル、技法の高低に依存せずに、電子記録媒体内容を正しく認識するための盤面印刷に必要な印刷工程における作業時間を削減することが可能となる。【００２０】また、使用者が用意する情報量に依存せずに、電子記録媒体内のデータを基準に抽出して配置することから、印刷担当者に依存しない情報印刷が可能となり、電子記録媒体の管理・運用面でもミスやトラブルを低減させることも可能となる。
【発明を実施するための最良の形態】
【００２１】本発明の実施形態について、発明の適用範囲である電子記録媒体のうち、ＣＤやＤＶＤなどのＤＩＳＣ媒体を例に以下に説明する。
図１は、本発明の処理の流れの構成を示している。データが記録されているＤＩＳＣをソフトウェアで読み出し、その情報を元にデータ種別（データファイル、音声ファイル、静止画像や動画像などの画像記録ファイル、ソフトウェアファイル、その他のファイルなど）に基づき、適した印刷レイアウトを自動配置し、使用者に提示した上で、記録可能なＤＩＳＣ（プリンタブルＤＩＳＣ）、もしくは電子記録媒体面に貼り付けることのできるシートへ印刷をおこなう。【００２２】本発明のハードウェア接続構成図を図１４で示す。コンピュータ２、ＤＩＳＣ読取装置８、プリンター６が主要構成であり、補助装置としてキーボード４、マウス５、ディスプレイ３を利用する。他に印刷すべき情報が記録されている対象物のＤＩＳＣ７で構成される。【００２３】コンピュータに格納されるプログラムの構成図を図１５で示す。本発明は、６つの主要プログラムから構成される。【００２４】ＤＩＳＣ物理セクタ情報読み出しプログラム１０はファイルや画像ファイルなどの論理的に読み出せる情報以外の媒体格納情報を読み出す。論理的に読み出すことのできない情報は、ＯＳで用意されている標準入出力関数命令を用いることができない。そのため、プログラム構成図にある図１５のＤＩＳＣ物理セクタ情報読み出しプログラム１０に読み取り指示を発行し、コンピュータ２に接続されている読取装置６に対して、デバイス制御命令をバスを介して直接発行することで、ＤＩＳＣ７上の物理セクタを読み取り、コンピュータ２のメモリに情報を記憶する手段である。【００２５】媒体内の論理ファイル名は、一般的なＯＳの標準入出力関数命令にて取得することができる。また、ファイルに関連付けされているアイコン画像情報も同様に論理的に取得可能である。図１５のＤＩＳＣ論理情報読み出しプログラム１１を用いて論理情報をコンピュータ２のメモリに情報を記憶する手段である。
これらの論理情報をＤＩＳＣ盤面に配置・印刷すると図２や図９のような印刷が可能となる。これにより、盤面を参照するだけで、どのようなファイルが記録されているのかを目視確認するだけで掌握することができる。【００２６】ＤＩＳＣ７にはデータファイルや静止画像ファイル、動画像ファイル、音声ファイルなど様々な形式のデータが格納されている。適した印刷様式を決定するために、図１５のＤＩＳＣ種別判定プログラム１２を用いる。対象となるＤＩＳＣ７がどの形式の電子記録媒体なのかは、ＤＩＳＣ物理セクタ情報読み出しプログラム１０、及びＤＩＳＣ論理情報読み出しプログラム１１によりコンピュータ２のメモリに記憶された情報で判定する手段として呼び出されるＤＩＳＣ種別判定プログラム１２は、判定結果をコンピュータ２のメモリに記憶する。【００２７】ＤＩＳＣ種別判定プログラム１２が判定した結果を元に、図１５のレイアウト生成プログラム１３は対象となる記録媒体に適した印刷様式をメモリに記憶された情報に当てはめる。印刷様式とはテンプレートとも呼ばれ、事前に予想されるデータ形式で得られるべき情報を適した印刷座標位置に配置する手段である。
レイアウト生成プログラム１３は、読み取りした情報を印刷様式に当てはめた結果をコンピュータ２のメモリに記憶する。【００２８】レイアウト生成プログラム１３がメモリに記憶した結果は、図１５のレイアウト情報表示／確認プログラム１４により、ディスプレイ３に画像情報として投影する。これにより使用者は電子記録媒体の内容を読み取り、ＤＩＳＣ種別判定結果が印刷様式に当てはめられ用意された座標上にどのように配置されたかを印刷する前にディスプレイ３を用いて目視確認することが可能となる。
レイアウト情報表示／確認プログラム１４は、使用者が目視確認により期待したレイアウトであることを入力装置であるキーボード４、もしくはマウス５で指示を受け、コンピュータ２のメモリに印刷指示可否の結果を確認する。【００２９】図１５の印刷データ送出プログラム１５は、レイアウト情報表示／確認プログラム１４の結果により、印刷指示可がコンピュータ２のメモリに記憶されている場合、レイアウト生成プログラム１３がメモリに記憶した情報を図１４のプリンタ６にケーブルを介して送出する。【００３０】媒体内に記録されている論理ファイルを読み出すことで、静止画像のファイルか否かを判断することができる。複数の静止画が記録されている場合、それらをより多く印刷し、画像インデックスとして耐えられるよう縮小化して配置することで、電子記録媒体内に複数の異なる静止画像が記録されていても、内容を把握することができる。
図３は、記録されている静止画像を読み出して縮小加工して配置したものである。
図１５のレイアウト生成プログラム１３がＤＩＳＣ論理情報読み出しプログラム１１によりコンピュータ２のメモリに記憶された各静止画像ファイルを予め用意されていた座標に当てはめたものである。【００３１】また、静止画像などが電子記録媒体に広範にわたって記録されている場合、限られた盤面上の領域にその全てを印刷することは不可能である。既に記録された電子記録媒体内の発見した画像を頭から順番に選択してゆくと、偏りのあるインデックス画像になってしまうため、本発明においては記録されている全ての画像を取得後、その数で間引き量（スキップ枚数）を算出し、記録されている画像を飛び飛びに採用し、盤面へ印刷する画像としてレイアウト生成プログラム１３を用いて配置することで広範にわたる電子記録媒体内の画像を全体像を掌握できるようにサムネイル化することが可能となる。この方式を簡単に説明したものが図４となる。【００３２】媒体内に記録されている動画像を媒体盤面にそのまま印刷することはできない。その為、動画像データのフレームをＤＩＳＣ論理情報読み出しプログラム１１を用いて抽出し、図５のように動画像の各静止画フレームをレイアウト生成プログラム１３を用いて並べてから一定位置のフレームを抽出し、縮小化して配置することで動画像に対しても静止画像と同じように配置することができる。【００３３】対象電子記録媒体がＤＩＳＣ種別判定プログラム１２で音楽ＣＤ（ＣＤ−ＤＡ）と判定された場合、ＤＩＳＣ物理セクタ情報読み出しプログラム１０を用いて読み取ったコンピュータ２のメモリに記憶されている図６で示すＬｅａｄ  ＩｎのＴＯＣ情報を元に演奏時間を演算する。記録されている各トラックの先頭の時間を差し引きすることで、各曲の演奏時間を算出し、印刷することが可能である。【００３４】ＣＤ  ＴＥＸＴ情報を有した音楽ＣＤには、アルバム名やアーティスト名、曲名などが文字情報と共に図７のように規定された形式で格納されている。この情報はＤＩＳＣ物理セクタ情報読み出しプログラム１０によりコンピュータ２のメモリに記憶される。その情報をレイアウト生成プログラム１３を用いて配置することにより、音楽ＣＤの各曲の詳細情報を印刷することができる。
また、図６で読み出した情報と組み合わせて印刷することにより、図８のように判りやすい音楽ＣＤの印刷をおこなうことができる。【００３５】データＣＤやデータＤＶＤなど、データファイルを記録できる汎用的な電子記録媒体では、ディレクトリ（フォルダ）という階層構造体でデータの格納ができる。
データファイルはＯＳの標準入出力関数命令で取得可能であり、その構造をツリー構造体で絵にして盤面に印刷することで、階層構造を理解しやすく把握できる電子記録媒体をつくることができる。
また、論理ファイルのサイズを同命令で取得することも容易にできるため、ディレクトリ（フォルダ）の内容物のサイズ小計を並列印刷することで、より掌握性の高い盤面印刷をも可能とする。
これらは、図１５のＤＩＳＣ論理情報読み出しプログラム１１によりコンピュータ２のメモリに記憶されている。【００３６】ＯＳには階層構造体をツリービューと言う形式で表示参照可能な機能が実装されている。例えばＷｉｎｄｏｗｓではエクスプローラと呼ばれるものがそれに該当する。本発明では図１５のレイアウト生成プログラム１３が、エクスプローラのツリービューを自プログラム内で呼び出し、エクスプローラがディスプレイ３に投影すべきツリービュー画像を取得し、コンピュータ２のメモリに記憶することで、印刷データ送出プログラム１５は図９で示すようなディレクトリ（フォルダ）の階層構造体と各ディレクトリ（フォルダ）のファイルサイズを絵にして盤面に印刷することを可能としている。【００３７】ＩＳＯ９６６０規格に基づいたデータＤＩＳＣの記録媒体では、最終セッションの基本ボリューム識別子に、物理的なＤＩＳＣ媒体の情報が記録されている。  これらの情報を図１５のＤＩＳＣ物理セクタ情報読み出しプログラム１０を用いて読み出し、コンピュータ２のメモリに記憶することで、電子記録媒体の盤面にその媒体に記録された日時情報や、記録する際に利用したアプリケーションソフト（記録ライティングエンジン）などの出生情報をレイアウト生成プログラム１３、及び印刷データ送出プログラム１５により、明記して印刷させることができる。
通常のＤＩＳＣ印刷ソフトウェアでは、媒体記録時にその日時情報を記憶しておき、盤面印刷時にその情報を流用するが、本発明ではＩＳＯ９６６０規格として媒体内の物理セクタ上に記録されている情報をＤＩＳＣ物理セクタ情報読み出しプログラム１０を用いて読み出すことから、後日であっても正しい記録日時を盤面へ印刷することが可能となる。
図１０は、ＩＳＯ９６６０規格の基本ボリューム識別子構造を明示したものである。
また、図１１は、物理的なＤＩＳＣ媒体の詳細情報を読み出して文字情報として盤面印刷する方式例である。
【実施例】
【００３８】本発明により、課題が解決される実施例を図１２、及び図１３に明示する。
図１２は、一般的なディレクトリ（フォルダ）構造体の階層構造を有するデータＤＩＳＣに対する印刷結果の例である。
また、図１３は、一般的な写真などの静止画像や動画像を含む画像類のデータＤＩＳＣに対する印刷結果の例である。
【図面の簡単な説明】
【００３９】
【図１】本発明の処理の流れを示した図である。
【図２】盤面上にファイルに関連付けられたアイコン画像とファイル名を一覧表示した図である。右側はそれを拡大したものである。
【図３】静止画を取得し、盤面に複数印刷可能なように縮小加工を施した図である。
【図４】電子記録媒体内に多数の画像ファイルが記録されている場合には、先頭からインデックス画像を抽出して偏りのサムネイル画像が並ばないよう、全体から間引いて画像取得する方式を示した図である。  この図では盤面へ印刷可能な９枚分を全体２５枚の中から２枚おきにに画像選別をしているものである。
【図５】動画像を取得し、一定のフレーム開始位置の１フレームの静止画像を取得し、複数の動画像から静止画処理と同じインデックス画像を生成する図である。
【図６】音楽ＣＤのＣＤ−ＤＡ規格の記録フォーマット構造を示した図である。
【図７】音楽ＣＤのＣＤ  ＴＥＸＴ規格の記録フォーマット構造を示した図である。
【図８】音楽ＣＤのＣＤ−ＤＡ規格の記録フォーマットとＣＤ  ＴＥＸＴ規格の記録フォーマット情報を元に、音楽ＣＤの情報印刷を出力した図である。
【図９】ディレクトリ（フォルダ）構造体を階層構造で盤面に印刷している図である。右側はそれを拡大したものである。
【図１０】ＩＳＯ９６６０基本ボリューム識別子の構造体の図である。
【図１１】物理的なＤＩＳＣ情報基本ボリューム識別子から読み出して盤面に印刷している図である。
【図１２】一般的なディレクトリ（フォルダ）構造体の階層構造を持つデータＤＩＳＣに対する実施例の図である。
【図１３】一般的な写真などの静止画像や動画を含む画像類のデータＤＩＳＣに対する実施例の図である。
【図１４】ハードウェアの接続構成図である。
【図１５】コンピュータに格納されるプログラムの構成図である。
【図１６】電子記録媒体のデータを読み取り、盤面に印刷する一般的な流れを示したフローチャートである。
【符号の説明】
【００４０】  １    ハードウェア接続構成図全体
２    コンピュータ
３    ディスプレイ
４    キーボード
５    マウス
６    プリンター
７    ＤＩＳＣ
８    ＤＩＳＣ読取装置
９    プログラム構成図全体
１０  ＤＩＳＣ物理セクタ情報読み出しプログラム
１１  ＤＩＳＣ論理情報読み出しプログラム
１２  ＤＩＳＣ種別判定プログラム
１３  レイアウト生成プログラム
１４  レイアウト情報表示／確認プログラム
１５  印刷データ送出プログラム
【図１】
2006107482.tif 000003
【図２】
2006107482.tif 000004
【図３】
2006107482.tif 000005
【図４】
2006107482.tif 000006
【図５】
2006107482.tif 000007
【図６】
2006107482.tif 000008
【図７】
2006107482.tif 000009
【図８】
2006107482.tif 000010
【図９】
2006107482.tif 000011
【図１０】
2006107482.tif 000012
【図１１】
2006107482.tif 000013
【図１２】
2006107482.tif 000014
【図１３】
2006107482.tif 000015
【図１４】
2006107482.tif 000016
【図１５】
2006107482.tif 000017
【図１６】
2006107482.tif 000018